(57)【要約】  【課題】薄型収納間仕切り家具を壁際まで移動させて据え付け可能とする。  【解決手段】薄型収納間仕切り家具１０を壁際に据え付ける薄型家具設置装置２０は、本体１１を支持する台座２１と、台座２１に設けられた固定車輪５６と、台座２１に本体１１の前後方向に出没自在に支承されたアーム４２、４２、５２、５２と、各アームに設けられた可動車輪４４、４４、５４、５４と、後側アーム４２、４２を後方へ付勢する引張スプリング４９、４９と、下端が接地することにより台座２１を上昇させる据え付け用接地体３５とを備えている。台座を壁際まで移動させて後側アームを壁面に引張スプリングの付勢力に抗して押し付けると、後側アームを台座に自動的に格納できるので、薄型収納間仕切り家具を壁面に密接させて据え付けることができる。  【選択図】図６
2006204412.tif 000002
【特許請求の範囲】
【請求項１】
薄型家具本体を支持する台座と、前記台座に前記薄型家具本体の厚さ方向に出没自在に支承された複数のアームと、これらアームにそれぞれ設けられた複数の可動車輪と、前記複数のアームのうち前記家具本体の片側に位置するアームを前記台座から突出する方向に付勢する付勢手段と、を備えていることを特徴とする薄型家具設置装置。
【請求項２】
前記台座に固定車輪が設けられており、この固定車輪および前記可動車輪は、前記据え付け用接地体が前記台座を上昇させた状態において、前記固定車輪が前記可動車輪を浮き上がらせるように設定されていることを特徴とする請求項１に記載の薄型家具設置装置。
【請求項３】
下端が接地することにより前記台座を上昇させる据え付け用接地体が、前記台座に設けられていることを特徴とする請求項１または２に記載の薄型家具設置装置。
【請求項４】
前記アームを前記台座内に格納した状態で保持する保持構造を備えていることを特徴とする請求項１、２または３に記載の薄型家具設置装置。
【請求項５】
前記アームの先端に保護キャップが被せ付けられていることを特徴とする請求項１、２、３または４に記載の薄型家具設置装置。
【発明の詳細な説明】
【技術分野】
【０００１】
本発明は、薄型家具設置装置に関し、特に、薄型家具を壁際まで移動させて据え付けるのに好適なものに係り、例えば、床面と天井面との間の空間を遮断する間仕切り家具を設置するのに利用して有効なものに関する。
【背景技術】
【０００２】
床面と天井面との間を空間を遮断する間仕切り家具は、厚さを薄く設定するのが一般的であるために、間仕切り家具の初期据え付け時や据え付け位置の変更時に、間仕切り家具を床面上で移動させるに際しては倒れ易く、安全に移動させることができない。
そこで、家具本体の底部に車輪を設けるとともに、車輪の接地レベルに対する上位置と下位置との間で昇降可能な据え付け用接地体を設けた間仕切り家具が、提案されている。例えば、特許文献１参照。
【特許文献１】特許第３４３７９９２号公報
【発明の開示】
【発明が解決しようとする課題】
【０００３】
ところで、間仕切り家具の厚さの内側空間を有効利用するために、間仕切り家具の内側空間を収納室構造に構成することが、考えられる。
このような内側空間を収納室構造に構成した間仕切り家具（以下、薄型収納間仕切り家具という。）においては、屋内の中間部分に据え付ける場合に限らず、薄型収納間仕切り家具の背面を屋内の壁面に当接させて据え付ける場合も発生すると、考えられる。
【０００４】
本発明の目的は、薄型家具を壁際まで移動させて据え付けることができる薄型家具設置装置を提供することにある。
【課題を解決するための手段】
【０００５】
本発明に係る薄型家具設置装置は、薄型家具本体を支持する台座と、前記台座に前記薄型家具本体の厚さ方向に出没自在に支承された複数のアームと、これらアームにそれぞれ設けられた複数の可動車輪と、前記複数のアームのうち前記家具本体の片側に位置するアームを前記台座から突出する方向に付勢する付勢手段と、を備えていることを特徴とする。
【発明の効果】
【０００６】
前記した手段によれば、台座を壁際まで移動させて片側のアームを壁面に付勢手段の付勢力に抗して押し付けることにより、片側のアームを台座に自動的に格納することができるために、薄型家具を壁面に密着させて据え付けることができる。
【発明を実施するための最良の形態】
【０００７】
以下、本発明の一実施の形態を図面に即して説明する。
【０００８】
本実施の形態において、本発明に係る薄型家具設置装置は、薄型収納間仕切り家具に一体的に組み付けられており、薄型収納間仕切り家具の背面を屋内の壁面に当接させて据え付けることができるように構成されている。
図１に示されているように、薄型収納間仕切り家具１０の高さ（上下方向の寸法）は、間仕切り家具としての性質上からは屋内１の天井面２と床面３との間隔と略同一に設定され、据え付けの必要上からは天井面２と床面３との間隔よりも若干だけ小さく設定されている。また、間仕切り家具としての性質上から、薄型収納間仕切り家具１０の奥行き（前後方向の寸法）は幅（左右方向の寸法）比べて小さく設定されている。
【０００９】
図１に示されているように、薄型収納間仕切り家具１０は薄型家具設置装置２０の台座２１の上に支持された薄型家具本体（以下、本体という。）１１を備えている。本体１１は間仕切り家具の性質上、左右方向の寸法および上下方向の寸法に比べて前後方向の寸法が小さい偏平な壁体形状に形成されている。
他方、薄型収納間仕切り家具１０の収納家具としての性質上から、本体１１の内側空間には正面（前面）だけが開放した収納室１２が形成されており、本体１１の正面の左右両端辺には、収納室１２の正面開口部を開閉する左右で一対の扉１３、１３がそれぞれ片持ち支持されて取り付けられている。
本実施の形態に係る薄型収納間仕切り家具１０はその背面（後面）を屋内１の壁面４に当接させて据え付けられる場合があるために、扉１３は本体１１の背面には取り付けられていない。
【００１０】
図２〜図７に示されているように、薄型家具設置装置２０の台座２１は枠体２２とベース２３とを備えており、ベース２３は枠体２２の上面に固着されている。枠体２２およびベース２３は、本体１１の平面視の長方形と小さめに相似する長方形の枠形状に形成されている。
【００１１】
図２〜図７に示されているように、枠体２２の枠内にはねじ式ジャッキ装置から構成された昇降駆動装置２４が設置されている。昇降駆動装置２４は枠内の前側中央部に配置された回転操作軸２５と、枠内における回転操作軸２５から離れた前後左右の四箇所にそれぞれ配置された四本の昇降軸２６、２７、２８、２９と、回転操作軸２５と前後の昇降軸２６、２７とをそれぞれ連係させる連係軸３０、３１と、前後の昇降軸２６、２７と左右の昇降軸２８、２９とをそれぞれ連係させる連係軸３２、３３と、前側かつ左側の連係軸３０に設置されたストッパ３４とを備えており、回転操作軸２５の回転に伴って、四本の昇降軸２６〜２９を同期させて昇降させるように構成されている。ストッパ３４は四本の昇降軸２６〜２９の下限位置を保持するように構成されている。
四本の昇降軸２６〜２９の下端間には、下端が接地することによって台座２１を上昇させる据え付け用接地体３５が水平に固定されている。据え付け用接地体３５は昇降駆動装置２４の四本の昇降軸２６〜２９の同期した昇降に伴って水平に昇降されるように構成されている。
【００１２】
枠体２２の枠内における左端部および右端部には、正方形の筒体によって形成された左右で一対の外側ガイド４１、４１が前後方向に延在するように水平にそれぞれ固定されている。左右の外側ガイド４１、４１には左右で一対の後側アーム４２、４２が、前後方向に摺動自在にそれぞれ嵌入されている。
図３に示されているように、枠体２２の背面壁における左右の外側ガイド４１、４１にそれぞれ対向する部位には、左右の後側アーム４２、４２を出没させるための左右の挿通口４３、４３がそれぞれ開設されている。
【００１３】
左右の後側アーム４２、４２の下面における後側端部には、左右で一対の後側可動車輪４４、４４がそれぞれ垂直に突設されている。左右の後側可動車輪４４、４４には所謂キャスタが使用されており、左右の後側可動車輪４４、４４は水平面内で自由に回転することができるように構成されている。
【００１４】
図５および図６（ａ）に示されているように、左右の外側ガイド４１、４１の底壁における左右の挿通口４３、４３に対向する部位には、左右の後側可動車輪４４、４４を逃げるための車輪逃げ部４５、４５がそれぞれ開設されている。
【００１５】
左右の外側ガイド４１、４１の底壁における中心線上には左右のガイド孔４６、４６がそれぞれ細長く開設されている。左右の外側ガイド４１、４１の底壁における左右の挿通口４３、４３の後側には、左右のガイド側係止ピン４７、４７がそれぞれ突設されている。左右の後側アーム４２、４２の前端部には左右のアーム側係止ピン４８、４８がそれぞれ突設されており、左右のアーム側係止ピン４８、４８は左右のガイド孔４６、４６にそれぞれ挿通されている。
左右のガイド側係止ピン４７、４７と左右のアーム側係止ピン４８、４８とには、左右の引張スプリング４９、４９の両端が蓄力状態でそれぞれ係止されており、左右の引張スプリング４９、４９は左右の後側アーム４２、４２を左右の外側ガイド４１、４１から突き出させる方向に常時付勢するようにそれぞれ設定されている。
【００１６】
枠体２２の枠内における左端部の外側ガイド４１の内側と右端部の外側ガイド４１の内側とには、正方形の筒体によって形成された左右で一対の内側ガイド５１、５１が前後方向に延在するように水平にそれぞれ固定されている。左右の内側ガイド５１、５１には左右で一対の前側アーム５２、５２が、前後方向に摺動自在にそれぞれ嵌入されている。
図２に示されているように、枠体２２の正面壁における左右の内側ガイド５１、５１にそれぞれ対向する部位には、左右の前側アーム５２、５２を出没させるための左右の挿通口５３、５３がそれぞれ開設されている。
【００１７】
左右の前側アーム５２、５２の下面における前側端部には、左右で一対の前側可動車輪５４、５４がそれぞれ垂直に突設されている。左右の前側可動車輪５４、５４には所謂キャスタが使用されており、左右の前側可動車輪５４、５４は水平面内で自由に回転することができるように構成されている。
【００１８】
図５および図６（ｂ）に示されているように、左右の内側ガイド５１、５１の底壁における左右の挿通口５３、５３に対向する部位には、左右の前側可動車輪５４、５４を逃げるための左右の車輪逃げ部５５、５５がそれぞれ開設されている。
【００１９】
左右の内側ガイド５１、５１の底壁における後端部には、左右で一対の固定車輪５６、５６がそれぞれ垂直に突設されている。左右の固定車輪５６、５６には所謂キャスタが使用されており、左右の固定車輪５６、５６は水平面内で自由に回転することができるように構成されている。
また、図６（ｂ）に示されているように、左右の固定車輪５６、５６の高さは、その接地点が四個の可動車輪４４、４４、５４、５４の構成する平面よりも極僅かの寸法ｈだけ低くなるように設定されている。すなわち、据え付け用接地体３５が昇降駆動装置２４によって上昇された状態において、左右の固定車輪５６、５６は必ず接地するように構成されている。
【００２０】
図４および図６（ａ）に示されているように、左右の外側ガイド４１、４１の天井壁における前端寄りの位置には、左右の外側ガイド保持孔６１、６１がそれぞれ開設されており、左右の後側アーム４２、４２の天井壁における前端寄りの位置には、左右の後側アーム保持孔６２、６２がそれぞれ開設されている。
図７（ａ）に示されているように、後側アーム４２が外側ガイド４１に押し込まれた状態において、後側アーム保持孔６２は外側ガイド保持孔６１に整合するように設定されており、この整合した状態において、台座２１のベース２３の枠内に前側底板６３が被せられると、前側底板６３の下面に突設された保持ピン６４が外側ガイド保持孔６１および後側アーム保持孔６２にそれぞれ挿入するように構成されている。この保持ピン６４の外側ガイド保持孔６１および後側アーム保持孔６２への挿入によって、後側アーム４２は外側ガイド４１に押し込まれた状態を保持されるように構成されている。
【００２１】
図４および図６（ｂ）に示されているように、左右の内側ガイド５１、５１の天井壁における後端寄りの位置には、左右の内側ガイド保持孔６５、６５がそれぞれ開設されており、左右の前側アーム５２、５２の天井壁における後端寄りの位置には、左右の前側アーム保持孔６６、６６がそれぞれ開設されている。
図７（ｂ）に示されているように、前側アーム５２が内側ガイド５１に押し込まれた状態において、前側アーム保持孔６６は内側ガイド保持孔６５に整合するように設定されており、この整合した状態において、台座２１のベース２３の枠内に後側底板６７が被せられると、後側底板６７の下面に突設された保持ピン６８が内側ガイド保持孔６５および前側アーム保持孔６６にそれぞれ挿入するように構成されている。この保持ピン６８の内側ガイド保持孔６５および前側アーム保持孔６６への挿入によって、前側アーム５２は内側ガイド５１に押し込まれた状態を保持されるように構成されている。
図７（ａ）、（ｂ）に示されているように、前側底板６３と後側底板６７との召し合わせ面には、重合部６９が後側底板６７が上側に、前側底板６３が下側になるように形成されている。すなわち、重合部６９は後側底板６７を先に取り外さない限り、前側底板６３を取り外すことができないように構成されている。
【００２２】
なお、左右の後側アーム４２、４２の後端開口部および左右の前側アーム５２、５２の前端開口部には、ゴムまたは樹脂によって形成された保護キャップ５７がそれぞれ被せ付けられている。
保護キャップ５７は左右の後側アーム４２、４２が壁面に押し付けられた際に、左右の後側アーム４２、４２が壁面の化粧面を損傷したり、左右の前側アーム５２、５２によって作業者が損傷したりするのを防止することができるように構成されている。
【００２３】
次に、以上の構成に係る薄型収納間仕切り家具１０の室内への搬入時における壁際への据え付け方法および作用効果を説明する。
【００２４】
図１に示されているように、薄型家具設置装置２０は本体１１が搭載された状態において、図４〜図６に示されているように、左右の後側アーム４２、４２が後方に突き出され、左右の前側アーム５２、５２が前方に突き出される。ここで、左右の後側アーム４２、４２は左右の引張スプリング４９、４９の付勢力によって左右の外側ガイド４１、４１から強制的に突き出される。
【００２５】
この状態で、図１に示されているように、薄型収納間仕切り家具１０は屋内１の所望の壁面４に移動される。
この際には、左右の後側アーム４２、４２が後方に突き出されているとともに、左右の前側アーム５２、５２が前方に突き出されていることにより、左右の後側可動車輪４４、４４と左右の前側可動車輪５４、５４との間隔が薄型収納間仕切り家具１０の厚さに比べて約三倍に拡大した状態になっているので、薄型収納間仕切り家具１０を倒すことなく安全に移動させることができる。
ちなみに、この際には、左右の固定車輪５６、５６が接地するが、左右の固定車輪５６、５６の高さと四個の可動車輪４４、４４、５４、５４の高さとの差は極僅かの寸法ｈであるので、薄型収納間仕切り家具１０の傾きは殆どない。したがって、薄型収納間仕切り家具１０が倒れるのを心配することなく安全に移動させることができる。
【００２６】
図１に示されているように、薄型収納間仕切り家具１０が屋内１の壁面４に移動されて、薄型家具設置装置２０の左右の後側アーム４２、４２の保護キャップ５７、５７が壁面４に突き当てられると、薄型家具設置装置２０は壁面４に押し付けられる方向に移動される。
この薄型家具設置装置２０の壁面４の方向への移動に伴って、左右の後側アーム４２、４２を引張スプリング４９、４９の弾性力に抗して左右の外側ガイド４１、４１に自動的に格納させて行くことができる。
後側アーム４２が外側ガイド４１に格納されると、図７（ａ）で参照されるように、後側アーム保持孔６２は外側ガイド保持孔６１に整合した状態になる。
【００２７】
薄型家具設置装置２０を壁面４の方向へ移動させる際には、左右の固定車輪５６、５６が接地していることにより、左右の後側可動車輪４４、４４は極僅かに浮いた状態になっているので、左右の後側アーム４２、４２を引張スプリング４９、４９の弾性力に抗して左右の外側ガイド４１、４１に円滑に格納して行くことができる。
また、左右の後側アーム４２、４２の保護キャップ５７、５７が壁面４に押接されるので、左右の後側アーム４２、４２の格納に際して、壁面４の化粧面が損傷するのを防止することができる。
【００２８】
薄型収納間仕切り家具１０が壁面４に当接または近接されると、本体１１の扉１３が開かれ、昇降駆動装置２４のハンドル（図示せず）が回転操作軸２５に装着される。
続いて、回転操作軸２５が回転されることによって、昇降駆動装置２４の四本の昇降軸２６、２７、２８、２９が同期して下降されて、据え付け用接地体３５が床面３に押接され、薄型家具設置装置２０の台座２１が床面３に対して上昇されて行く。
この際には、据え付け用接地体３５が床面３に押接する迄は、左右の前側可動車輪５４、５４と左右の固定車輪５６、５６とが広い面積をもって薄型収納間仕切り家具１０を支持しているために、昇降駆動装置２４の回転操作軸２５の操作中に、薄型収納間仕切り家具１０が倒れることはない。
【００２９】
据え付け用接地体３５が台座２１を所定の高さに持ち上げると、図８および図９に示されているように、本体１１の天井面が屋内１の天井面２に押接するために、薄型収納間仕切り家具１０は天井面２と床面３との間で据え付けられた状態になる。
また、ストッパ３４が連係軸３０の逆回転を阻止することにより、昇降駆動装置２４の四本の昇降軸２６〜２９の振動等による不測の下降が発生するのを防止する状態になるために、据え付け用接地体３５の下降による弛緩を防止することができる。
【００３０】
薄型収納間仕切り家具１０が据え付けられた後に、左右の前側アーム５２、５２が左右の内側ガイド５１、５１に押し込まれて格納される。前側アーム５２が内側ガイド５１に格納されると、図７（ｂ）で参照されるように、前側アーム保持孔６６は内側ガイド保持孔６５に整合する。
【００３１】
次いで、昇降駆動装置２４のハンドルが回転操作軸２５から外される。
続いて、図７（ａ）に示されているように、前側底板６３が台座２１のベース２３の枠内に被せられる。すると、前側底板６３の下面に突設された保持ピン６４が互いに整合した外側ガイド保持孔６１および後側アーム保持孔６２にそれぞれ挿入するために、後側アーム４２は外側ガイド４１に押し込まれた状態を保持される。
さらに、図７（ｂ）に示されているように、後側底板６７が台座２１のベース２３の枠内に被せられる。すると、後側底板６７の下面に突設された保持ピン６８が互いに整合した内側ガイド保持孔６５および前側アーム保持孔６６にそれぞれ挿入するために、前側アーム５２は内側ガイド５１に押し込まれた状態を保持される。
また、前側底板６３が台座２１のベース２３の枠内に被せられると、昇降駆動装置２４の回転操作軸２５が前側底板６３によって被覆された状態になるために、回転操作軸２５が誤って操作される事態が発生するのを防止することができる。
【００３２】
その後に、図８および図９に示されているように、幅木１４が薄型家具設置装置２０の台座２１の枠体２２を被覆するように敷設される。
【００３３】
以上のようにして、屋内１の壁面４に密接ないし近接して据え付けられた薄型収納間仕切り家具１０は、前後方向の寸法が薄く設定されているために、室内１の面積を狭くせずに済む。
他面、薄型収納間仕切り家具１０は収納室１２を壁面４の全面にわたって形成しているために、収納スペースを大きく確保することができるとともに、壁面４を薄型収納間仕切り家具１０自身によって装飾することができる。
【００３４】
ちなみに、薄型収納間仕切り家具１０を移動させたい場合には、前述した据え付け作業の手順と逆の手順によって移動可能な状態に移行させることができる。
その際には、左右の前側アーム５２、５２を左右の内側ガイド５１、５１から引き出してから薄型家具設置装置２０の台座２１を下降させると、薄型収納間仕切り家具１０が倒れるのを左右の前側可動車輪５４、５４によって防止することができるので、安全性の上から望ましい。
本実施の形態においては、後側底板６７を取り外さない限り、前側底板６３を取り外すことができないように重合部６９が形成されていることにより、後側底板６７を取り外して左右の前側アーム５２、５２を前方に引き出してから、前側底板６３を取り外すことになるので、安全性を確保することができる。
【００３５】
なお、本発明は前記実施の形態に限定されるものではなく、その要旨を逸脱しない範囲で種々に変更が可能であることはいうまでもない。
【００３６】
例えば、後側アームの格納状態を保持する保持構造は、保持ピンを保持孔に挿入させる構造を使用するに限らず、図１０に示されているように、後側アームの没入に伴って、ラチェット爪７１が係合孔７２に自動的に係合して保持する保持構造を使用してもよい。
【００３７】
後側アームを突き出す方向へ付勢する付勢手段としては、引張スプリングを使用するに限らず、圧縮スプリングを使用してもよい。
【００３８】
アームを突き出す方向へ付勢する付勢手段は、後側アームだけに使用するに限らず、前側アームにも使用してもよい。
前側アームにも付勢手段が装備された場合には、後側底板を取り外すと、前側アームが付勢手段によって自動的に引き出されることになるので、台座の下降時の安全性をより一層高めることができる。
【００３９】
後側アームおよび前側アームは台座に対して直線運動によって出没するように構成するに限らず、台座に対して円運動によって出没するように構成してもよい。
【００４０】
前記実施の形態においては、薄型収納間仕切り家具に適用する場合について説明したが、本発明に係る薄型家具設置装置は、フラットパネルディスプレイや壁掛けテレビ、ホワイトボートおよび黒板等の薄型家具全般に適用することができる。
この実施の形態においては、据え付け用接地体を省略してもよい。
なぜならば、壁際に搬送されて後側アームが壁面に押し付けられた薄型家具は、後側は壁面に支えられ、前側は前側アームに支えられるために倒れることはなく、他面、これらの薄型家具は薄型収納間仕切り家具に比べて移動させる機会が多いからである。
この実施の形態によれば、これらの薄型家具を壁際に設置した状態において、後側アームを台座の下方空間に格納することができるので、薄型家具の屋内における占拠面積を減少させることができる。
【図面の簡単な説明】
【００４１】
【図１】本発明の一実施の形態である薄型収納間仕切り家具を示す斜視図である。
【図２】本発明の一実施の形態である薄型家具設置装置を示す正面図である。
【図３】その背面図である。
【図４】その平面図である。
【図５】その底面図である。
【図６】（ａ）は図２のａ−ａ線に沿う側面断面図、（ｂ）は図２のｂ−ｂ線に沿う側面断面図、（ｃ）は側面図である。
【図７】薄型家具設置装置の据え付け状態を示しており、（ａ）は図６（ａ）に相当する側面断面図、（ｂ）は図６（ｂ）に相当する側面断面図、（ｃ）は側面図である。
【図８】薄型収納間仕切り家具の据え付け状態を示す一部省略一部切断正面図である。
【図９】薄型収納間仕切り家具の据え付け状態を示す一部省略側面図である。
【図１０】本発明の他の実施の形態である薄型家具設置装置を示す一部切断平面図であり、左半分はアーム保持解除状態を示し、右半分はアーム保持状態を示している。
【符号の説明】
【００４２】
１…屋内、２…天井面、３…床面、４…壁面、１０…薄型収納間仕切り家具（薄型家具）、１１…本体（薄型家具本体）、１２…収納室、１３…扉、１４…幅木、２０…薄型家具設置装置、２１…台座、２２、枠体、２３…ベース、２４…昇降駆動装置、２５…回転操作軸、２６、２７、２８、２９…昇降軸、３０、３１、３２、３３…連係軸、３４…ストッパ、３５…据え付け用接地体、４１…外側ガイド、４２…後側アーム、４３…挿通口、４４…後側可動車輪、４５…車輪逃げ部、４６…ガイド孔、４７…ガイド側係止ピン、４８…アーム側係止ピン、４９…引張スプリング（付勢手段）、５１…内側ガイド、５２…前側アーム、５３…挿通口、５４…前側可動車輪、５５…車輪逃げ部、５６…固定車輪、５７…保護キャップ、６１…外側ガイド保持孔、６２…後側アーム保持孔、６３…前側底板、６４…保持ピン、６５…内側ガイド保持孔、６６…前側アーム保持孔、６７…後側底板、６８…保持ピン、６９…重合部、７１…ラチェット爪、７２…係合孔。
【図１】
2006204412.tif 000003
【図２】
2006204412.tif 000004
【図３】
2006204412.tif 000005
【図４】
2006204412.tif 000006
【図５】
2006204412.tif 000007
【図６】
2006204412.tif 000008
【図７】
2006204412.tif 000009
【図８】
2006204412.tif 000010
【図９】
2006204412.tif 000011
【図１０】
2006204412.tif 000012